(57)【特許請求の範囲】
【請求項１】
長手方向と直交する第１方向に対向配置された一対のガイド壁部を備え、一方の前記ガイド壁部のガイド壁面に凸状の第１当接部が前記長手方向に間隔をあけて設けられると共に前記ガイド壁面に前記第１当接部に対して前記長手方向に離間し且つ前記長手方向と前記第１方向に直交する第２方向に離間した位置に凸状の第２当接部が前記長手方向に間隔をあけて設けられたレールと、
一対の前記ガイド壁部間に配置されると共に前記長手方向に沿って摺動可能とされ、摺動方向の一方側に前記第１当接部の頂部に当接する第１突部が設けられると共に前記摺動方向の他方側に前記第１突部が前記第１当接部の頂部に当接した状態で前記第２当接部の頂部に当接する第２突部が設けられたスライダと、
を有するスライド構造。
【請求項２】
一対の前記ガイド壁部間の間隔は、前記第２方向の一方側の第１領域と、前記第１領域に対して前記第２方向の他方側に隣接する第２領域とで異なり、
前記第１当接部は、前記第１領域に配置され、
前記第２当接部は、前記第２領域に配置されている、請求項１に記載のスライド構造。
【請求項３】
前記第１当接部及び前記第２当接部は、各々の前記長手方向の両端部がそれぞれ傾斜している、請求項１又は請求項２に記載のスライド構造。
【請求項４】
前記第１当接部及び前記第２当接部の各突出量は、前記第１突部及び前記第２突部の各突出量よりも小さい、請求項１〜３のいずれか１項に記載のスライド構造。
【請求項５】
一方の前記ガイド壁部の前記ガイド壁面と前記第１突部との間の隙間と、一方の前記ガイド壁部の前記ガイド壁面と前記第２突部との間の隙間とが異なる、請求項１〜４のいずれか１項に記載のスライド構造。
【請求項６】
前記スライダには、前記第１方向で前記第１突部の反対側に第３突部が設けられると共に前記第１方向で前記第２突部の反対側に第４突部が設けられている、請求項１〜５のいずれか１項に記載のスライド構造。
【請求項７】
長手方向と直交する第１方向に間隔をあけて対向配置された３つ以上のガイド壁部を備え、互いに対向配置された第１の前記ガイド壁部及び第２の前記ガイド壁部の一方のガイド壁面に凸状の第１当接部が前記長手方向に間隔をあけて設けられると共に互いに対向配置された第２の前記ガイド壁部及び第３の前記ガイド壁部の一方のガイド壁面に前記第１当接部に対して前記長手方向に離間した位置に凸状の第２当接部が前記長手方向に間隔をあけて設けられたレールと、
前記レールの前記長手方向に沿って摺動可能とされ、摺動方向の一方側に第１の前記ガイド壁部及び第２の前記ガイド壁部の間に配置され、前記第１当接部の頂部に当接する第１突部が設けられると共に前記摺動方向の他方側に第２の前記ガイド壁部及び第３の前記ガイド壁部の間に配置され、前記第１突部が前記第１当接部の頂部に当接した状態で前記第２当接部の頂部に当接する第２突部が設けられたスライダと、
を有するスライド構造。
【発明の詳細な説明】
【技術分野】
【０００１】
本発明は、スライド構造に関する。
【背景技術】
【０００２】
特許文献１では、アウタケースに設けられたレール部に長手方向に間隔をあけて３つの突起部を形成し、レール部上を摺動する引出部に設けられたスライダ部に摺動方向に間隔をあけて３つの凸部を形成している。これら３つの突起部と３つの凸部は、引出部の閉状態及び全開状態においては、対応する２つの突起部と凸部がそれぞれ当接して、引出部がアウタケースに支持（２点支持）されるため、所定位置における引出部のガタツキが抑制されている。
【先行技術文献】
【特許文献】
【０００３】
【特許文献１】特開２００８−３７１４７号公報
【発明の概要】
【発明が解決しようとする課題】
【０００４】
ところで、特許文献１に開示されたスライド構造では、引出部のスムーズな引き出し（摺動）と所定位置における引出部のガタツキの抑制を考慮した場合、３つの突起部と３つの凸部の突出量にそれぞれ厳密な寸法精度が求められる。このため、製品設計及び製造工程における負荷の増加が懸念される。
【０００５】
本発明は上記事実を考慮し、簡単な構造でレールに対するスライダの摺動をスムーズにできかつ所定位置におけるスライダのガタツキを抑制できるスライド構造を提供することを目的とする。
【課題を解決するための手段】
【０００６】
請求項１に記載のスライド構造は、長手方向と直交する第１方向に対向配置された一対のガイド壁部を備え、一方の前記ガイド壁部のガイド壁面に凸状の第１当接部が前記長手方向に間隔をあけて設けられると共に前記ガイド壁面に前記第１当接部に対して前記長手方向に離間し且つ前記長手方向と前記第１方向に直交する第２方向に離間した位置に凸状の第２当接部が前記長手方向に間隔をあけて設けられたレールと、一対の前記ガイド壁部間に配置されると共に前記長手方向に沿って摺動可能とされ、摺動方向の一方側に前記第１当接部の頂部に当接する第１突部が設けられると共に前記摺動方向の他方側に前記第１突部が前記第１当接部の頂部に当接した状態で前記第２当接部の頂部に当接する第２突部が設けられたスライダと、有している。
【０００７】
請求項１に記載のスライド構造では、第１当接部に対して第２当接部をレールの長手方向（以下、適宜「レール長手方向」と記載する。）に離間した位置に設けている。このため、スライダがレール長手方向に沿って摺動し、第１突部が第１当接部の頂部に当接した状態で第２突部が第２当接部の頂部に当接すると、レール長手方向に間隔をあけた２点でスライダがレールによって支持されるため、レールに対するスライダのガタツキ（第１方向のガタツキ）が抑制される。
【０００８】
また、上記スライド構造では、第１当接部に対して第２当接部を第２方向に離間した位置に設けている。このため、スライダがレールを摺動する際に、レールの第１当接部とスライダの第２突部との当接が回避され、レールの第２当接部とスライダの第１突部との当接が回避される。これにより、例えば、第１当接部と第２当接部をレール長手方向に沿って交互に配置するものと比べて、第１当接部、第２当接部、第１突部及び第２突部の各突出量を厳密に設定しなくても、レールに対するスライダの摺動をスムーズにできる。
【０００９】
以上のことから、上記スライド構造では、第１当接部に対して第２当接部をレール長手方向に離間し且つ第２方向に離間した位置に配置する簡単な構造で、レールに対するスライダの摺動をスムーズにできると共に所定位置におけるスライダのガタツキを抑制できる。
【００１０】
請求項２に記載のスライド構造は、請求項１に記載のスライド構造において、一対の前記ガイド壁部間の間隔は、前記第２方向の一方側の第１領域と、前記第１領域に対して前記第２方向の他方側に隣接する第２領域とで異なり、前記第１当接部は、前記第１領域に配置され、前記第２当接部は、前記第２領域に配置されている。
【００１１】
請求項２に記載のスライド構造では、一対のガイド壁部間を、間隔が異なる第１領域と第２領域で区切り、第１当接部を第１領域に配置し、第２当接部を第２領域に配置している。このため、スライダがレールを摺動する際に、スライダがレールに対して横ずれ（第２方向ずれ）するのを抑制しつつ、第１突部を第１領域に沿って移動させて第１当接部の頂部に当接させ、第２突部を第２領域に沿って移動させて第２当接部の頂部に当接させることができる。これにより、レールに対するスライダの摺動をよりスムーズにできる。
【００１２】
請求項３に記載のスライド構造は、請求項１又は請求項２に記載のスライド構造において、前記第１当接部及び前記第２当接部は、各々の前記長手方向の両端部がそれぞれ傾斜している。
【００１３】
請求項３に記載のスライド構造では、第１当接部及び第２当接部の各々のレール長手方向の両端部をそれぞれ傾斜させている。このため、スライダがレールを摺動する際に、第１突部が第１当接部の頂部へスムーズに移動できると共に第２突部が第２当接部の頂部へスムーズに移動できる。これにより、上記スライド構造では、スライダのガタツキを抑制できる所定位置へ、スライダをスムーズに摺動させることができる。
【００１４】
請求項４に記載のスライド構造は、請求項１〜３のいずれか１項に記載のスライド構造において、前記第１当接部及び前記第２当接部の各突出量は、前記第１突部及び前記第２突部の各突出量よりも小さい。
【００１５】
請求項４に記載のスライド構造では、第１当接部及び第２当接部の各突出量を第１突部及び第２突部の各突出量よりも小さくしている。このため、例えば、第１当接部及び第２当接部の各突出量を第１突部及び第２突部の各突出量よりも大きくする構成と比べて、レールの製造時において、レールの寸法精度を確保しやすくなる。
【００１６】
請求項５に記載のスライド構造は、請求項１〜４のいずれか１項に記載のスライド構造において、一方の前記ガイド壁部の前記ガイド壁面と前記第１突部との間の隙間と、一方の前記ガイド壁部の前記ガイド壁面と前記第２突部との間の隙間とが異なる。
【００１７】
請求項５に記載のスライド構造では、一方のガイド壁部のガイド壁面と第１突部との間の隙間と、一方のガイド壁部のガイド壁面と第２突部との間の隙間とを異ならせている。ここで、例えば、一方のガイド壁部のガイド壁面と第１突部との間の隙間よりも一方のガイド壁部のガイド壁面と第２突部との間の隙間を小さくした場合、スライダがレールを摺動する際のスライダのレールに対するガタツキが一方のガイド壁部のガイド壁面と第２突部との当接によって効果的に抑制される。
【００１８】
請求項６に記載のスライド構造は、請求項１〜５のいずれか１項に記載のスライド構造において、前記スライダには、前記第１方向で前記第１突部の反対側に第３突部が設けられると共に前記第１方向で前記第２突部の反対側に第４突部が設けられている。
【００１９】
請求項６に記載のスライド構造では、スライダに第１方向で第１突部の反対側に第３突部を設け、第１方向で第２突部の反対側に第４突部を設けていることから、スライダがレールを摺動する際のスライダとレールとの摺動面積（接触面積）が小さくなり、レールに対するスライダの摺動がさらにスムーズになる。
【００２０】
請求項７に記載のスライド構造は、長手方向と直交する第１方向に間隔をあけて対向配置された３つ以上のガイド壁部を備え、互いに対向配置された第１の前記ガイド壁部及び第２の前記ガイド壁部の一方のガイド壁面に凸状の第１当接部が前記長手方向に間隔をあけて設けられると共に互いに対向配置された第２の前記ガイド壁部及び第３の前記ガイド壁部の一方のガイド壁面に前記第１当接部に対して前記長手方向に離間した位置に凸状の第２当接部が前記長手方向に間隔をあけて設けられたレールと、前記レールの前記長手方向に沿って摺動可能とされ、摺動方向の一方側に第１の前記ガイド壁部及び第２の前記ガイド壁部の間に配置され、前記第１当接部の頂部に当接する第１突部が設けられると共に前記摺動方向の他方側に第２の前記ガイド壁部及び第３の前記ガイド壁部の間に配置され、前記第１突部が前記第１当接部の頂部に当接した状態で前記第２当接部の頂部に当接する第２突部が設けられたスライダと、を有している。
【００２１】
請求項７に記載のスライド構造では、第１当接部に対して第２当接部をレールの長手方向（以下、適宜「レール長手方向」と記載する。）に離間した位置に設けている。このため、スライダがレール長手方向に沿って摺動し、第１突部が第１当接部の頂部に当接した状態で第２突部が第２当接部の頂部に当接すると、レール長手方向に間隔をあけた２点でスライダがレールによって支持されるため、レールに対するスライダのガタツキ（第１方向のガタツキ）が抑制される。
【００２２】
また、上記スライド構造では、第１のガイド壁部と第２のガイド壁部との間に第１当接部が配置され、第２のガイド壁部と第３のガイド壁部との間に第２当接部が配置されている。すなわち、第１当接部と第２当接部が第１方向の別々の領域にそれぞれ設けられているため、スライダがレールを摺動する際に、レールの第１当接部とスライダの第２突部との当接が回避され、レールの第２当接部とスライダの第１突部との当接が回避される。これにより、例えば、第１当接部と第２当接部をレール長手方向に沿って交互に配置するものと比べて、第１当接部、第２当接部、第１突部及び第２突部の各突出量を厳密に設定しなくても、レールに対するスライダの摺動をスムーズにできる。
【００２３】
以上のことから、上記スライド構造では、第１当接部と第２当接部をレール長手方向に離間させ且つ第１当接部と第２当接部を第１方向の別々の領域にそれぞれ配置する簡単な構造で、レールに対するスライダの摺動をスムーズにできると共に所定位置におけるスライダのガタツキを抑制できる。
【発明の効果】
【００２８】
本発明は、簡単な構造でレールに対するスライダの摺動をスムーズにできると共に所定位置におけるスライダのガタツキを抑制できるスライド構造を提供することができる。
【図面の簡単な説明】
【００２９】
【図１】本発明に係る一実施形態のスライド構造を適用した物入れ容器のスライド蓋を斜め上方から見た斜視図であり、スライド蓋が閉位置にある状態を示している。
【図２】図１の物入れ容器のスライド蓋の斜視図であり、スライド蓋が開位置にある状態を示している。
【図３】図１のスライド蓋をスライドレールから外した状態を示す斜視図である。
【図４】（Ａ）図１の矢印４Ａ−４Ａ線端面図である。（Ｂ）図４（Ａ）の矢印４Ｂで指し示す部分の拡大図である。
【図５】（Ａ）図１の矢印５Ａ−５Ａ線端面図である。（Ｂ）図５（Ａ）の矢印５Ｂで指し示す部分の拡大図である。
【図６】（Ａ）図４（Ａ）の矢印６Ａ−６Ａ線端面図である。（Ｂ）図６（Ａ）の矢印６Ｂで指し示す部分の拡大図である。
【図７】（Ａ）図５（Ａ）の矢印７Ａ−７Ａ線端面図である。（Ｂ）図７（Ａ）の矢印７Ｂで指し示す部分の拡大図である。
【図８】図１の矢印８−８線断面図である。
【図９】図３のスライドレールを斜め上方から見た斜視図である。
【図１０】図３のスライドレールを斜め下方から見た斜視図である。
【図１１】（Ａ）本発明に係る一実施形態のスライド構造の第１変形例の要部の端面図（図４（Ｂ）に対応する部分の拡大図）である。（Ｂ）図１１（Ａ）の第１変形例の他の要部の端面図である。
【図１２】（Ａ）本発明に係る一実施形態のスライド構造の第２変形例の要部の端面図（図４（Ｂ）に対応する部分の拡大図）である。（Ｂ）図１２（Ａ）の第２変形例の他の要部の端面図である。
【図１３】本発明に係る一実施形態のスライド構造の第３変形例の要部の端面図（図４（Ｂ）に対応する部分の拡大図）である。
【図１４】図１３の第３変形例の他の要部の端面図である。
【発明を実施するための形態】
【００３０】
次に、本発明に係るスライド構造の一実施形態を図１〜図１０を用いて説明する。
本実施形態のスライド構造Ｓは、車両の物入れ容器２０に適用されている。なお、一部の図面に示す矢印ＵＰは本実施形態のスライド構造を適用した物入れ容器２０の上方を示し、矢印Ｗは物入れ容器２０の幅方向を示し、矢印Ｍは物入れ容器２０のスライド蓋２２の摺動方向（スライド方向）を示している。
【００３１】
図１及び図２に示されるように、本実施形態の物入れ容器２０は、車両の例えば、コンソールボックスに設けられる開閉式の物入れ容器である。この物入れ容器２０は、小物などを収容可能な図示しない容器本体と、容器本体の上方に開放された開口の縁部に幅方向に間隔をあけて一対設けられるスライドレール２４と、一対のスライドレール２４によって摺動可能に支持され、容器本体の上記開口を開閉するスライド蓋２２と、を備えている。そして、本実施形態のスライド構造Ｓは、図１〜図３に示されるように、スライドレール２４と、スライド蓋２２とを有している。なお、本実施形態のスライドレール２４は、本発明におけるレールの一例であり、本実施形態のスライド蓋２２は、本発明におけるスライダの一例である。
【００３２】
（スライドレール）
図４（Ａ）及び図５（Ａ）に示されるように、スライドレール２４は、樹脂材料で形成されており、長手方向（以下、適宜「レール長手方向」と記載する。）と直交する第１方向に対向配置された一対のガイド壁部２６、２８を備えている。なお、本実施形態では、スライドレール２４の長手方向とスライド蓋２２の摺動方向は同じ方向である。また、ここでいう「第１方向」は、物入れ容器２０の上下方向と同じ方向である。ここで、本実施形態では、ガイド壁部２６がガイド壁部２８の上方に対向配置されている。なお、本実施形態のガイド壁部２６は、本発明における一方のガイド壁部の一例であり、本実施形態のガイド壁部２８は、本発明における他方のガイド壁部の一例である。
なお、スライドレール２４において一対のガイド壁部２６、２８は、両者の間に配置されるスライド蓋２２の後述する端部２２Ａの第１方向の移動を制限する部位である。
【００３３】
一対のガイド壁部２６、２８間の間隔は、レール長手方向と第１方向に直交する第２方向の一方側の第１領域３０と、第１領域３０に対して第２方向の他方側に隣接する第２領域３２とで異なっている。具体的には、第１領域３０における間隔Ｌ１は、第２領域３２における間隔Ｌ２よりも広くされている。なお、本実施形態では、ガイド壁部２６のガイド壁面２６Ａに第１方向に沿った段差２６Ｂが形成されており、この段差２６Ｂを境界に第１領域３０と第２領域３２が区切られている。また、ここでいう「第２方向」は、物入れ容器２０の幅方向と同じ方向である。
【００３４】
ガイド壁部２６のガイド壁面２６Ａには、下方に向かって突出する凸状の第１当接部３４（図４（Ｂ）、図６（Ｂ）及び図１０参照）がレール長手方向に間隔をあけて複数（本実施形態では２つ）設けられている。これらの第１当接部３４は、第１領域３０にそれぞれ配置されている。
【００３５】
また、ガイド壁部２６のガイド壁面２６Ａには、下方に向かって突出する凸状の第２当接部３６（図５（Ｂ）、図７（Ｂ）及び図１０参照）がレール長手方向に間隔をあけて複数（本実施形態では２つ）設けられている。これらの第２当接部３６は、第１当接部３４に対してレール長手方向に離間し且つ第２方向に離間した位置にそれぞれ配置されている。また、これらの第２当接部３６は、第２領域３２にそれぞれ配置されている。
【００３６】
ガイド壁部２８のガイド壁面２８Ａには、上方に向かって突出する凸状の第３当接部３８（図４（Ｂ）、図６（Ｂ）及び図９参照）がレール長手方向に間隔をあけて複数（本実施形態では２つ）設けられている。これらの第３当接部３８は、ガイド壁部２６の第１当接部３４に対向する位置にそれぞれ配置されている。このため、これらの第３当接部３８は、第１領域３０にそれぞれ配置されている。
【００３７】
また、ガイド壁部２８のガイド壁面２８Ａには、上方に向かって突出する凸状の第４当接部４０（図５（Ｂ）、図７（Ｂ）及び図９参照）がレール長手方向に間隔をあけて複数（本実施形態では２つ）設けられている。これらの第４当接部４０は、ガイド壁部２６の第２当接部３６に対向する位置にそれぞれ配置されている。すなわち、これらの第４当接部４０は、第３当接部３８に対してレール長手方向に離間し且つ第２方向に離間した位置にそれぞれ配置されている。このため、これらの第４当接部３８は、第２領域３２にそれぞれ配置されている。
【００３８】
図６（Ｂ）に示されるように、第１当接部３４及び第３当接部３８は、各々のレール長手方向の両端部がそれぞれ傾斜している。すなわち、第１当接部３４及び第３当接部３８の各々のレール長手方向の両端部には、傾斜面３４Ａ、３８Ａがそれぞれ形成されている。
【００３９】
図７（Ｂ）に示されるように、第２当接部３６及び第４当接部４０は、各々のレール長手方向の両端部がそれぞれ傾斜している。すなわち、第２当接部３６及び第４当接部４０の各々のレール長手方向の両端部には、傾斜面３６Ａ、４０Ａがそれぞれ形成されている。
【００４０】
（スライド蓋）
図４（Ａ）及び図５（Ａ）に示されるように、スライド蓋２２は、樹脂材料で形成されており、幅方向の端部２２Ａが一対のガイド壁部２６、２８間に配置されると共にスライドレール２４のレール長手方向に沿って摺動可能とされている。なお、スライド蓋２２の上面には、意匠面を形成するためのパネル等の部材が取り付けられるが、これらの部材については図示省略している。
【００４１】
スライド蓋２２の板状の端部２２Ａの摺動方向の一方側には、上方に突出する第１突部４２が設けられている。この第１突部４２は、スライド蓋２２がスライドレール２４を摺動する際に、第１領域３０を移動し、第１当接部３４の頂部３４Ｂに当接する。
【００４２】
スライド蓋２２の端部２２Ａの摺動方向の他方側には、上方に突出する第２突部４４が設けられている。この第２突部４４は、第１突部４２に対して摺動方向に離間し且つ第２方向に離間した位置に配置されている。このため、第２突部４４は、スライド蓋２２がスライドレール２４を摺動する際に、第２領域３２を移動し、第２当接部３６の頂部３６Ｂに当接する。また、第２突部４４は、第１突部４２が第１当接部３４の頂部３４Ｂに当接した状態で第２当接部３６の頂部３６Ｂに当接するように配置されている。
【００４３】
スライド蓋２２の端部２２Ａの摺動方向の一方側には、第１方向で第１突部４２の反対側である下方に突出する第３突部４６が設けられている。この第３突部４６は、スライド蓋２２がスライドレール２４を摺動する際に、頂部４６Ａがガイド壁部２８のガイド壁面２８Ａ上を摺動しながら第１領域３０を移動し、第３当接部３８に乗り上げて頂部３８Ｂに当接する。
【００４４】
また、スライド蓋２２の端部２２Ａの摺動方向の他方側には、第１方向で第２突部４４の反対側である下方に突出する第４突部４８が設けられている。この第４突部４８は、第３突部４６に対して摺動方向に離間し且つ第２方向に離間した位置に配置されている。このため、第４突部４８は、スライド蓋２２がスライドレール２４を摺動する際に、頂部４８Ａがガイド壁部２８のガイド壁面２８Ａ上を摺動しながら第２領域３２を移動し、第４当接部４０に乗り上げて頂部４０Ｂに当接する。また、第４突部４８は、第３突部４６が第３当接部３８の頂部３８Ｂに当接した状態で第４当接部４０の頂部４０Ｂに当接するように配置されている。
【００４５】
また、スライド蓋２２で物入れ容器２０を閉じた状態では、第１突部４２の頂部４２Ａが奥側（摺動方向一方側）の第１当接部３４の頂部３４Ｂに当接し、第２突部４４の頂部４４Ａが奥側の第２当接部３６の頂部３６Ｂに当接し、第３突部４６の頂部４６Ａが奥側の第３当接部３８の頂部３８Ｂに当接し、第４突部４８の頂部４８Ａが奥側の第４当接部４０の頂部４０Ｂに当接する。この閉じた状態では、奥側の第１当接部３４と奥側の第３当接部３８とでスライド蓋２２の端部２２Ａの第１突部４２及び第３突部４６に対応する部分が挟まれると共に、奥側の第２当接部３６と奥側の第４当接部４０とでスライド蓋２２の端部２２Ａの第２突部４４及び第４突部４８に対応する部分が挟まれる。これにより、スライド蓋２２を閉じた状態（スライド蓋２２が閉位置にある状態（図１及び図８の実線部分参照））でのスライドレール２４に対するスライド蓋２２のガタツキが抑制される。
一方、スライド蓋２２を摺動させて物入れ容器２０を開いた状態では、第１突部４２の頂部４２Ａが手前側（摺動方向他方側）の第１当接部３４の頂部３４Ｂに当接し、第２突部４４の頂部４４Ａが手前側の第２当接部３６の頂部３６Ｂに当接し、第３突部４６の頂部４６Ａが手前側の第３当接部３８の頂部３８Ｂに当接し、第４突部４８の頂部４８Ａが手前側の第４当接部４０の頂部４０Ｂに当接する。この開いた状態では、手前側の第１当接部３４と手前側の第３当接部３８とでスライド蓋２２の端部２２Ａの第１突部４２及び第３突部４６に対応する部分が挟まれると共に、手前側の第２当接部３６と手前側の第４当接部４０とでスライド蓋２２の端部２２Ａの第２突部４４及び第４突部４８に対応する部分が挟まれる。これにより、スライド蓋２２を開いた状態（スライド蓋２２が開位置にある状態（図２及び図８の破線部分参照））でのスライドレール２４に対するスライド蓋２２のガタツキが抑制される。
【００４６】
図４〜図７に示されるように、第１当接部３４、第２当接部３６、第３当接部３８、及び、第４当接部４０の各突出量Ｈ１〜Ｈ４は、第１突部４２、第２突部４４、第３突部４６、及び、第４突部４８の各突出量Ｔ１〜Ｔ４よりも小さくされている。
【００４７】
また、スライド蓋２２の摺動途中（例えば、スライド蓋２２の半開き状態）では、ガイド壁部２６のガイド壁面２６Ａと第１突部４２の頂部４２Ａとの間の第１隙間と、ガイド壁部２６のガイド壁面２６Ａと第２突部４４の頂部４４Ａとの間の第２隙間とが異なっている。具体的には、本実施形態では、第２隙間が第１隙間よりも小さくされている。言い換えると、第２領域の間隔Ｌ２と、スライド蓋２２の頂部４４Ａから頂部４８Ａまでの第１方向に沿った長さＰ２（図７参照）との差が、第１領域３０の間隔Ｌ１と、スライド蓋２２の頂部４２Ａから頂部４６Ａまでの第１方向に沿った長さＰ１（図６参照）との差よりも小さくされている。
【００４８】
次に、本実施形態の作用効果について説明する。
スライド構造Ｓでは、第１当接部３４に対して第２当接部３６をレール長手方向に離間した位置に設けている。このため、スライド蓋２２がレール長手方向に沿って摺動し、第１突部４２の頂部４２Ａが第１当接部３４の頂部３４Ｂに当接した状態で第２突部４４の頂部４４Ａが第２当接部３６の頂部３６Ｂに当接すると、レール長手方向に間隔をあけた２点でスライド蓋２２がスライドレール２４によって支持されるため、容器本体に取り付けられるスライドレール２４に対するスライド蓋２２のガタツキが抑制される。
【００４９】
また、上記スライド構造Ｓでは、第１当接部３４に対して第２当接部３６を第２方向に離間した位置に設けている。このため、スライド蓋２２がスライドレール２４を摺動する際に、スライドレール２４の第１当接部３４とスライド蓋２２の第２突部４４との当接が回避され、スライドレール２４の第２当接部３６とスライド蓋２２の第１突部４２との当接が回避される。これにより、例えば、第１当接部３４と第２当接部３６をレール長手方向に沿って交互に配置するものと比べて、第１当接部３４の突出量Ｈ１、第２当接部３６の突出量Ｈ２、第１突部４２の突出量Ｔ１及び第２突部４４の突出量Ｔ２などを厳密に設定しなくても、スライドレール２４に対するスライド蓋２２の摺動をスムーズにできる。
【００５０】
以上のことから、上記スライド構造Ｓでは、第１当接部３４に対して第２当接部３６をレール長手方向に離間し且つ第２方向に離間した位置した位置に設ける簡単な構造で、スライドレール２４に対するスライド蓋２２の摺動をスムーズにできると共に所定位置（本実施形態では、スライド蓋２２の開位置及び閉位置）におけるスライド蓋２２のガタツキを抑制できる。
【００５１】
また、スライド構造Ｓでは、一対のガイド壁部２６、２８間を、第１領域３０と第２領域３２で区切り、第１当接部３４を第１領域３０に配置し、第２当接部３６を第２領域３２に配置している。このため、スライド蓋２２がスライドレール２４を摺動する際に、スライド蓋２２がスライドレール２４に対して横ずれ（第２方向へのずれ）するのを抑制しつつ、第１突部４２の頂部４２Ａを第１領域３０に沿って移動させて第１当接部３４の頂部３４Ｂに当接させ、第２突部４４の頂部４４Ａを第２領域３２に沿って移動させて第２当接部３６の頂部３６Ｂに当接させることができる。これにより、スライドレール２４に対するスライド蓋２２の摺動をよりスムーズにできる。
【００５２】
さらに、スライド構造Ｓでは、第１当接部３４及び第２当接部３６の各々のレール長手方向の両端部をそれぞれ傾斜させて、傾斜面３４Ａ、３６Ａとしている。このため、スライド蓋２２がスライドレール２４を摺動する際に、第１突部４２の頂部４２Ａが第１当接部３４の頂部３４Ｂへスムーズに移動できると共に第２突部４４が第２当接部３６の頂部３６Ｂへスムーズに移動できる。
またさらに、スライド構造Ｓでは、第３当接部３８及び第４当接部４０の各々のレール長手方向の両端部をそれぞれ傾斜させて、傾斜面３８Ａ、４０Ａとしている。このため、スライド蓋２２がスライドレール２４を摺動する際に、第３突部４６の頂部４６Ａが第３当接部３８の頂部３４Ｂへスムーズに乗り上がると共に第４突部４８の頂部４８Ａが第４当接部４０の頂部４０Ｂへスムーズに乗り上がる。これらにより、上記スライド構造Ｓでは、スライド蓋２２のガタツキを抑制できる所定位置へ、スライド蓋２２をスムーズに摺動させることができる。
【００５３】
またさらに、スライド構造Ｓでは、第１当接部３４、第２当接部３６、第３当接部３８、第４当接部４０の各突出量Ｈ１、Ｈ２、Ｈ３、Ｈ４を第１突部４２、第２突部４４、第３突部４６、第４突部４８の各突出量Ｔ１、Ｔ２、Ｔ３、Ｔ４よりも小さくしている。このため、例えば、各突出量Ｈ１、Ｈ２、Ｈ３、Ｈ４を各突出量Ｔ１、Ｔ２、Ｔ３、Ｔ４よりも大きくする構成と比べて、スライドレール２４の製造時において、スライドレール２４の寸法精度を確保しやすくなる。
【００５４】
また、スライド構造Ｓでは、ガイド壁部２６のガイド壁面２６Ａと第１突部４２との間の第１隙間と、ガイド壁部２６のガイド壁面２６Ａと第２突部４４との間の第２隙間とを異ならせている。なお、本実施形態では、第２隙間を第１隙間よりも小さくしていることから、スライド蓋２２がスライドレール２４を摺動する際のスライド蓋２２のスライドレール２４に対するガタツキがガイド壁部２６のガイド壁面２６Ａと第２突部４４との当接によって効果的に抑制される。
【００５５】
そしてスライド構造Ｓでは、スライド蓋２２に第１方向で第１突部４２の反対側に第３突部４６を設け、第１方向で第２突部４４の反対側に第４突部４８を設けていることから、スライド蓋２２がスライドレール２４を摺動する際のスライド蓋２２とスライドレール２４との摺動面積（接触面積）が小さくなり、スライドレール２４に対するスライド蓋２２の摺動がさらにスムーズになる。
【００５６】
（その他の実施形態）
前述の実施形態のスライド構造Ｓでは、一対のガイド壁部２６、２８間に第１領域３０及び第２領域３２を形成している、すなわち、第１領域３０と第２領域３２が第２方向に並設される構成としているが、本発明はこの構成に限定されない。例えば、図１１（Ａ）及び図１１（Ｂ）に示す第１変形例のスライド構造Ｓ１のように、第１領域５０及び第２領域５２が第１方向に併設される構成としてもよい。具体的には、スライド構造Ｓ１は、第１方向に間隔をあけて対向配置された３つ以上（第１変形例では３つ）のガイド壁部５４、５６、５８を備えるスライドレール６０と、このスライドレール６０に対応したスライド蓋６２を有している。このスライドレール６０には、互いに対向配置されたガイド壁部５４及びガイド壁部５６の一方のガイド壁面（本実施形態では、ガイド壁部５６のガイド壁面５６Ａ）に凸状の第１当接部６４がレール長手方向に間隔をあけて設けられている。また、スライドレール６０では、互いに対向配置されたガイド壁部５６及びガイド壁部５８の一方のガイド壁面（本実施形態では、ガイド壁部５８のガイド壁面５８Ａ）に第１当接部６４に対してレール長手方向に離間した位置に凸状の第２当接部６６がレール長手方向に間隔をあけて設けられている。また、スライド蓋６２には、摺動方向の一方側にガイド壁部５４及びガイド壁部５６の間に配置され、第１当接部６４の頂部６４Ａに当接する第１突部６８が設けられると共に摺動方向の他方側にガイド壁部５６及びガイド壁部５８の間に配置され、第１突部６８が第１当接部６４の頂部６４Ａに当接した状態で第２当接部６６の頂部６６Ａに当接する第２突部７０が設けられている。このスライド構造Ｓ１では、前述の実施形態のスライド構造Ｓと同様の作用効果を得ることができる。
【００５７】
また、前述の実施形態のスライド構造Ｓでは、第２領域３２の間隔Ｌ２よりも第１領域３０の間隔Ｌ１を大きくしているが、本発明はこの構成に限定されない。例えば、図１２（Ａ）及び図１２（Ｂ）に示す第２変形例のスライド構造Ｓ２のように、第２領域８０の間隔Ｌ２よりも第１領域８２の間隔Ｌ１を小さくする構成としてもよい。このスライド構造Ｓ２では、スライド蓋８４の第１突部８６が第１領域８２に配置され、第２突部８８が第２領域８０に配置されている。また、第２突部８８をスライドレール９０のレール長手方向から第２領域８０に挿入してスライド蓋８４とスライドレール９０を組み付ける。これにより、第２変形例のスライド構造Ｓ２では、前述の実施形態のスライド構造Ｓと同様の作用効果を得ることができる。
【００５８】
また、前述の実施形態のスライド構造Ｓでは、スライドレール２４のガイド壁部２６に第１当接部３４が設けられ、ガイド壁部２８に第２当接部３６が設けられているが、本発明はこの構成に限定されない。例えば、図１３及び図１４に示す第３変形例のスライド構造Ｓ３のように、レール長手方向と第１方向（図１３及び図１４では上下方向）に直交する第２方向（図１３及び図１４では左右方向）に間隔をあけて対向配置された一対のスライドレール１００、１０２のうち、一方（図１３及び図１４では左方）のスライドレール１００に第１当接部１０４及び第２当接部１０６が設けられ、他方（図１３及び図１４では右方）のスライドレール１０２に第３当接部１０８及び第４当接部１１０が設けられる構成としてもよい。
具体的には、スライドレール１００は、第１方向に対向配置された一対のガイド壁部１１２、１１４と、第１方向に延びてガイド壁部１１２、１１４の端部同士を連結するガイド壁部１１６と、を備えており、ガイド壁部１１６の内面を構成する段差形状のガイド壁面１１６Ａに凸状の第１当接部１０４がレール長手方向に間隔をあけて設けられると共にガイド壁面１１６Ａに第１当接部１０４に対してレール長手方向に離間し且つ第１方向に離間した位置に凸状の第２当接部１０６がレール長手方向に間隔をあけて設けられている。一方、スライドレール１０２は、第１方向に対向配置された一対のガイド壁部１１８、１２０と、第１方向に延びてガイド壁部１１８、１２０の端部同士を連結するガイド壁部１２２と、を備えており、ガイド壁部１２２の内面を構成する段差形状のガイド壁面１２２Ａに凸状の第３当接部１０８がレール長手方向に間隔をあけて設けられると共にガイド壁面１２２Ａに第３当接部１０８に対してレール長手方向に離間し且つ第１方向に離間した位置に凸状の第４当接部１１０がレール長手方向に間隔をあけて設けられている。なお、スライドレール１００、１０２において対向配置されるガイド壁部１１６、１２２は、両者の間に配置される後述するスライド蓋１２８の幅方向の端部１２８Ａ、１２８Ｂの第２方向（図１３及び図１４では、左右方向）の移動を制限する部位である。
また、対向配置されるガイド壁面１１６Ａとガイド壁面１２２Ａとの間の間隔は、第１方向の一方側（上方側）の第１領域１２４と、第１領域１２４に対して第１方向の他方側（下方側）に隣接する第２領域１２６とで異なっている。詳細には、第１領域１２４の間隔Ｌ１が第２領域１２６の間隔Ｌ２よりも大きくなっている。
スライド蓋１２８は、対向配置されるガイド壁部１１６、１２２との間に配置されると共にレール長手方向に摺動可能とされている。このスライド蓋１２８の板状とされた幅方向の一端部（図１３及び図１４では左側の端部）１２８Ａの摺動方向の一方側には、第１当接部１０４の頂部１０４Ａに当接する第１突部１３０が設けられると共に、摺動方向の他方側には、第１突部１３０が第１当接部１０４の頂部１０４Ａに当接した状態で第２当接部１０６の頂部１０６Ａに当接する第２突部１３２が設けられている。この第１突部１３０は、スライド蓋１２８がスライドレール１００を摺動する際に、第１領域１２４を移動し、頂部が第１当接部１０４の頂部１０４Ａに当接する。一方、第２突部１３２は、スライド蓋１２８がスライドレール１００を摺動する際に、第２領域１２６を移動し、側面が第２当接部１０６の頂部１０６Ａに当接する。
また、スライド蓋１２８の板状とされた幅方向の他端部（図１３及び図１４では右側の端部）１２８Ｂの摺動方向の一方側には、第３当接部１０８の頂部１０８Ａに当接する第３突部１３４が設けられると共に、摺動方向の他方側には、第３突部１３４が第３当接部１０８の頂部１０８Ａに当接した状態で第４当接部１１０の頂部１１０Ａに当接する第４突部１３６が設けられている。この第３突部１３４は、スライド蓋１２８がスライドレール１０２を摺動する際に、第１領域１２４を移動し、頂部が第３当接部１０８の頂部１０８Ａに当接する。一方、第４突部１３６は、スライド蓋１２８がスライドレール１０２を摺動する際に、第２領域１２６を移動し、側面が第４当接部１１０の頂部１１０Ａに当接する。
上記スライド構造Ｓ３では、第１当接部１０４に対して第２当接部１０４をスライドレール１００のレール長手方向に離間した位置に設け、第３当接部１０８に対して第４当接部１１０をスライドレール１０２のレール長手方向に離間した位置に設けているため、スライド蓋１２８がレール長手方向に沿って摺動し、第１突部１３０が第１当接部１０４の頂部１０４Ａに当接した状態で第２突部１３２が第２当接部１０６の頂部１０６Ａに当接すると共に、第３突部１３４が第３当接部１０８の頂部１０８Ａに当接した状態で第４突部１３６が第４当接部１１０の頂部１１０Ａに当接すると、レール長手方向に間隔をあけた２点でスライド蓋１２８が一対のレールによって支持されるため、レールに対するスライド蓋１２８のガタツキ（第２方向のガタツキ）が抑制される。
また、スライド構造Ｓ３では、第１当接部１０４に対して第２当接部１０６を第１方向に離間した位置に設け、第３当接部１０８に対して第４当接部１１０を第１方向に離間した位置に設けている。このため、スライド蓋１２８がスライドレール１００を摺動する際に、スライドレール１００の第１当接部１０４と第２突部１３２との当接が回避されると共に第２当接部１０６と第１突部１３０との当接が回避される。同様に、スライド蓋１２８がスライドレール１０２を摺動する際に、スライドレール１０２の第３当接部１０８と第４突部１３６との当接が回避されると共に第４当接部１１０と第３突部１３４との当接が回避される。これにより、第１〜第４当接部１０４、１０６、１０８、１１０、及び、第１〜第４突部１３０、１３２、１３４、１３６の各突出量を厳密に設定しなくても、スライドレール１００、１０２に対するスライド蓋１２８の摺動をスムーズにできる。
以上のことから、上記スライド構造Ｓ３では、簡単な構造で、スライドレール１００、１０２に対するスライド蓋１２８の摺動をスムーズにできると共に所定位置におけるスライド蓋１２８のガタツキを抑制できる。
【００５９】
前述の実施形態では、スライド構造Ｓを車両用の物入れ容器２０に適用したが、本発明はこの構成に限定されず、スライド構造Ｓを車両用以外の物入れ容器に適用してもよい。例えば、キッチン周りの器具、家具、事務用具などの収容部に適用してもよい。
【００６０】
以上、本発明の一実施形態について説明したが、本発明は、上記に限定されるものでなく、その主旨を逸脱しない範囲内において上記以外にも種々変形して実施することが可能であることは勿論である。
【符号の説明】
【００６１】
Ｓ、Ｓ１、Ｓ２、Ｓ３・・・スライド構造、２２・・・スライド蓋（スライダ）、２４・・スライドレール（レール）、２６・・・ガイド壁部（一方のガイド壁部）、２６Ａ・・・ガイド壁面、２８・・・ガイド壁部（他方のガイド壁部）、２８Ａ・・・ガイド壁面、３０・・・第１領域、３２・・・第２領域、３４・・・第１当接部、３４Ｂ・・・頂部、３６・・・第２当接部、３６Ｂ・・・頂部、３８・・・第３当接部、３８Ｂ・・・頂部、４０・・・第４当接部、４０Ｂ・・・頂部、４２・・・第１突部、４４・・・第２突部、４６・・・第３突部、４８・・・第４突部、１００・・・スライドレール（一方のレール）、１０２・・・スライドレール（他方のレール）、１０４・・・第１当接部、１０６・・・第２当接部、１１６、１２２・・・ガイド壁部、１１６Ａ、１２２Ａ・・・ガイド壁面、１２８・・・スライド蓋（スライダ）、１３０・・・第１突部、１３２・・・第２突部
【図１】
0006484575.tif 000002
【図２】
0006484575.tif 000003
【図３】
0006484575.tif 000004
【図４】
0006484575.tif 000005
【図５】
0006484575.tif 000006
【図６】
0006484575.tif 000007
【図７】
0006484575.tif 000008
【図８】
0006484575.tif 000009
【図９】
0006484575.tif 000010
【図１０】
0006484575.tif 000011
【図１１】
0006484575.tif 000012
【図１２】
0006484575.tif 000013
【図１３】
0006484575.tif 000014
【図１４】
0006484575.tif 000015